(57)【要約】【課題】ラックキャビネットに収納されたホットプラグ可能なシステム装置に接続されるケーブルの収束方式およびシステム装置のラックキャビネットからの引き出し方式を見直し、活栓保守性、現地オプション増設作業性の向上と、ケーブル抜け、線噛みによるシステムダウンの危険性を回避することである。【解決手段】ラックキャビネットに搭載されたホットプラグ可能なシステム装置の上部又は下部にケーブル収束機構を、システム装置背面へケーブルベア型ケーブル収納機構を搭載し、システム装置に接続する全てのケーブルを本機構に収束することにより、活栓状態での効率的な保守作業、現地オプション増設作業を実現する。【選択図】　図１
2004021872.tif 000002
【特許請求の範囲】
【請求項１】
ラックキャビネットに収納されたホットプラグ可能なシステム装置に接続されるケーブルの収束手段と、稼働中のシステム装置を活栓状態でラックキャビネットから引出す場合にシステム装置に接続されたケーブルに負荷を加えずスムースにケーブリングすることを特徴としたケーブル収束機構。
【請求項２】
請求項１において、システム装置に接続している電源ケーブルと信号ケーブルを分離し収束することで、電源ケーブルから信号ケーブルへのノイズ障害を回避することが特徴のケーブル収束機構。
【請求項３】
請求項１において、システム装置筐体背面へケーブル収束機構を固定することにより、ケーブル単体への張力によるコネクタ抜け、断線、コネクタ破損を回避することが特徴のケーブル収束機構。
【発明の詳細な説明】
【０００１】
【発明の属する技術分野】
本発明は、ケーブル収納方式に関し、特にラックキャビネットに搭載されたホットプラグ可能なコンピュータシステムのケーブル収束機構に関する。
【０００２】
【従来の技術】
従来、ラックキャビネットに収納されたホットプラグ可能なシステム装置のケーブル収納方式は、ラックキャビネット背面に備付のケーブル固定エリアでケーブル余長分を固定、またはシステム装置背面にアーム型のケーブル収束機構を装着し収束している。
【０００３】
ラックキャビネット背面に備付のケーブル固定エリアにてケーブルを収束する場合で、ホットプラグ可能なシステム装置を活栓保守する方式としては、ケーブル固定エリアからシステム装置に接続された全てのケーブルを取外し、線かみ、コネクタ抜けなどに注意しながらシステム装置と共にラックキャビネットから引き出す必要があった。また、ケーブル固定方式によってはケーブルの自重などによりケーブルコネクタ部に張力が加わり、コネクタ抜けによる断線状態になったり、システム装置側コネクタに負荷が加わり破損する恐れがあった。
【０００４】
システム装置背面に装着したアーム型のケーブル収束機構によりケーブルを収束する場合で、ホットプラグ可能なシステム装置を活栓保守する方式としては、システム装置背面に接続されたケーブル類にシステム装置の引き出しに必要なストローク分のケーブル長を装置背面に準備しておき、それを束ねるアーム型のケーブル収束機構をラックキャビネット背面に装着し対応していた。更にアーム型のケーブル収束機構をラックキャビネット背面に実装するための専用エリアを設ける必要があり、ラックキャビネット背面からの保守作業を困難なものにしていた。
【０００５】
【発明が解決しようとする課題】
ラックキャビネットに搭載されたホットプラグ可能なシステム装置を活栓状態にてラックキャビネットから引き出し保守作業を行う場合に、接続されたケーブルへ負荷を加えることなくスムースにケーブリングすることができる。
【０００６】
【課題を解決するための手段】
ラックキャビネットに搭載されたホットプラグ可能なシステム装置の上部又は下部にケーブルベア型ケーブル収束機構を搭載し、システム装置に接続する全てのケーブルを本機構に収束することにより、活栓状態での保守作業、現地オプション増設作業などの効率化を図る。さらにケーブルの自重やケーブル固定方式などによるケーブルコネクタへの負担、コネクタ抜けによる断線、システム装置側コネクタへの負担、破損などの危険性を回避できる。
【０００７】
【発明の実施の形態】
以下、添付図面の構成例について説明する。
【０００８】
図１は本発明をラックキャビネットに搭載し、ホットプラグ可能なシステム装置に接続した状態で、ホットプラグ可能なシステム装置をラックキャビネットに収納した場合の構造及び機構の一例である。１０はホットプラグ可能なシステム装置本体、２０はラックキャビネット、３０はシステム装置用スライドレール、４０はケーブル収束機構筐体、５０はケーブルベア固定用柱、６０はケーブルベア、７０はシステム装置側ケーブルベア固定金具用固定ネジ、８０はシステム装置側ケーブルベア固定ネジ、９０はシステム装置側ケーブルベア固定金具、１００はケーブル収束機構筐体側ケーブルベア固定ネジ、１１０はシステム装置接続ケーブルである。ホットプラグ可能なシステム装置１０は、システム装置用スライドレール３０によりラックキャビネット２０に収納される。ホットプラグ可能なシステム装置１０に接続されるケーブル１１０は、ケーブルベア６０の内部に配線し、各インタフェースの接続先に接続している。ケーブルベア６０は、ホットプラグ可能なシステム装置１０の筐体背面とケーブル収束機構筐体４０内のケーブルベア固定用柱５０の両部にて両端部を固定しており、図１の様にホットプラグ可能なシステム装置１０がラックキャビネット２０へ収納されている状態では、Ｓ字形状を保ちケーブルのルーティングを保護している。ケーブルベア６０のホットプラグ可能なシステム装置１０側の固定は、ホットプラグ可能なシステム装置１０筐体背面下部にシステム装置側ケーブルベア固定金具９０をネジ止めにより行っている。ケーブルベア６０のケーブル収束機構筐体４０側は、ケーブルベア固定用柱５０にネジ止めにより固定している。
【０００９】
図２は本発明をラックキャビネットに搭載し、ホットプラグ可能なシステム装置に接続した状態で、ホットプラグ可能なシステム装置をラックキャビネットから引き出した場合の構造及び機構の一例である。ラックキャビネット２０に収納されたホットプラグ可能なシステム装置１０は、システム装置用スライドレール３０によりラックキャビネット２０から引き出すことが可能であり、ホットプラグ可能なシステム装置１０の保守やオプション増設はこの状態として作業を行う。ホットプラグ可能なシステム装置１０をラックキャビネット２０から引き出す場合、システム装置側ケーブルベア固定金具９０とケーブルベア固定用柱５０にネジ止めされたケーブルベア６０は、図１においてはＳ字形状であるが、ホットプラグ可能なシステム装置１０に前方へ引き出されることにより、図２の様な直線形状となる。この場合、ケーブルベア６０の内部に配線されたシステム装置接続ケーブル１１０および、そのコネクタへは張力は掛からない。これにより、ケーブル抜け、線かみによるシステムダウンの危険性を回避することが可能であり、ラックキャビネットに搭載されたホットプラグ可能なシステム装置の活栓状態での保守作業性、現地オプション増設作業性の向上を図ることが可能である。また、図２の逆にホットプラグ可能なシステム装置１０をラックキャビネット２０へ収納する場合は、ケーブルベア６０は図１と同様にＳ字形状となり、ラックキャビネット２０へ収納される。
【００１０】
図３は、ホットプラグ可能なシステム装置背面へ、本発明を搭載した場合の構造および機構の一例である。ケーブルベア６０はシステム装置側ケーブルベア固定金具９０へシステム装置側ケーブルベア固定ネジ８０にて固定され、システム装置側ケーブルベア固定金具９０はホットプラグ可能なシステム装置１０の背面下部にシステム装置側ケーブルベア固定金具用固定ネジ７０にて固定される。システム装置側ケーブルベア固定金具９０はコの字形状となっており、ホットプラグ可能なシステム装置１０の背面下部の筐体板金部を挟み込む方式で固定している。ケーブルベア６０は内部にホットプラグ可能なシステム装置１０へ接続するケーブルを用途に合わせてケーブルベア６０の内部へルーティング可能である。これにより電源ケーブルと信号ケーブルを分離しルーティングすることが可能であり、ノイズに弱いケーブルをシールドすることも可能であるため、電源ケーブルから信号ケーブルへのノイズによる障害を回避することが可能である。さらにケーブル交換作業も、交換対象のケーブルをルーティングしているケーブルベア６０だけを取り外し対応できるので、他の信号ケーブルへ悪影響を及ぼすことはない。また、ケーブルベア６０はシステム装置側ケーブルベア固定金具９０にてホットプラグ可能なシステム装置１０へ固定されているので、ラックキャビネット２０からホットプラグ可能なシステム装置１０を引き出した場合でも、引き出し時の応力はケーブルベア６０とホットプラグ可能なシステム装置背面に集中するため、電源ケーブルおよび信号ケーブルのコネクタ自体に張力が加わらないため、ケーブルのコネクタ抜け、断線、コネクタ破損を回避することが可能である。ホットプラグ可能なシステム装置１０にて背面保守を行う場合は、ホットプラグ可能なシステム装置１０の背面に接続されたケーブルを全て取外した後、システム装置側ケーブルベア固定金具用固定ネジ７０を取外し、ケーブルベア６０をシステム装置側ケーブルベア固定金具９０へ取付けたまま取外すだけで、対応することが可能である。
【００１１】
図４は、本発明であるケーブル収束機構筐体の背面の構造および機構の一例である。ケーブル収束機構筐体４０はラックキャビネット２０に搭載可能なラックキャビネット用筐体であり、ケーブル収束機構筐体４０後部中央にケーブルベア固定用柱５０を備える。ケーブルベア６０は、ケーブルベア固定用柱５０へケーブル収束機構筐体側ケーブルベア固定ネジ１００にて固定する。ケーブルベア固定用柱５０へ固定されたケーブルベア６０は図３同様に、内部にホットプラグ可能なシステム装置１０へ接続するケーブルを用途に合わせてケーブルベア６０の内部へルーティング可能である。ケーブルベア６０のケーブルベア固定用柱５０側には周辺機器側のインタフェースケーブルコネクタやサービスコンセント側の電源ケーブルコネクタが並べられる。図２の様にホットプラグ可能なシステム装置１０をラックキャビネット２０から引き出した状態でも、これらのケーブルコネクタには張力が加わらない構造となっている。ケーブル交換作業も図３同様に、交換対象のケーブルをルーティングしているケーブルベア６０だけを取り外し対応できるので、他の信号ケーブルへ悪影響を及ぼすことはない。
【００１２】
【発明の効果】
本発明によれば、ラックキャビネットに収納されたホットプラグ可能なシステム装置において、活栓状態での保守作業、現地オプション増設作業が可能となり、保守作業性の向上、システムダウン時間の減少を実現できる。また、電源ケーブルと信号ケーブルを分離し収束することが可能なため、電源ケーブルから信号ケーブルへのノイズ障害を回避することができる。
【図面の簡単な説明】
【図１】本発明の一実施例のうちラックキャビネットへシステム装置を実装した場合の全体構成を示す図である。
【図２】本発明の一実施例のうちラックキャビネットからシステム装置を引き出した状態の全体構成を示す図である。
【図３】システム装置背面へのケーブル収束機構実装例を示す図である。
【図４】ケーブル収束機構背面へのケーブルベア実装例を示す図である。
【符号の説明】
１０…システム装置、２０…ラックキャビネット、３０…システム装置用スライドレール、４０…ケーブル収束機構筐体、５０…ケーブルベア固定用柱、６０…ケーブルベア、７０…システム装置側ケーブルベア固定金具用固定ネジ、８０…システム装置側ケーブルベア固定ネジ、９０…システム装置側ケーブルベア固定金具、１００…ケーブル収束機構筐体側ケーブルベア固定ネジ、１１０…システム装置接続ケーブル。
【図１】
2004021872.tif 000003
【図２】
2004021872.tif 000004
【図３】
2004021872.tif 000005
【図４】
2004021872.tif 000006